(57)【要約】  ボトルをブロー成形することができるプリフォーム（９０）を開示する。プリフォームは、本体と、本体を囲むフランジ（９２）と、本体から突出するバンド（９４）とを含む。フランジ（９２）と、バンド（９４）と、フランジ（９２）上の本体の部分とがトラフ（１０６）を画成する。キャップ（１０２）が嵌められると、弱化線（１０８）に沿ってキャップのスカートの残りに結合するリング（１１２）、さらに、弱化線及びスカート（１０４）の残りの隣接する部分がトラフに入る。バンド（９４）は、リング（１１２）上に熱収縮される。【選択図】  図１５
2007533488.tif 000002
【特許請求の範囲】
【請求項１】
容器をブロー成形することができるプリフォームであって、
熱収縮材料製であり、当該プリフォームのネックを囲み且つ突出する周方向に延びるフランジを有しており、前記フランジから立設されたバンドが設けられており、前記バンドが、前記ネックを囲むと共に前記フランジの一方の面に接続され、前記バンド、前記フランジ及び前記フランジに隣接する当該プリフォームの部分がトラフを画成している、プリフォーム。
【請求項２】
前記ネックが前記フランジに隣接するビードを有し、前記バンドが前記ネック上に収縮された際に前記バンドの一部が前記フランジから離れた側の前記ビードの側面上にあるように、前記ビードが位置決めされている、請求項１に記載のプリフォーム。
【請求項３】
前記バンドが、周方向に間隔をおいた一連のブリッジによって前記フランジの前記面に接続され、隣合うブリッジ間に開口が設けられている、請求項１又は２に記載のプリフォーム。
【請求項４】
前記バンドが中空であり、前記バンドが半径方向内側壁と半径方向外側壁とを有しており、前記内側壁の一方の円形の縁が前記フランジに結合されており、前記外側壁が前記内側壁から離隔されており、前記外側壁の一方の円形の縁が前記フランジに結合されており、前記内側壁と前記外側壁との間には円筒形のギャップが設けられており、前記ギャップの上部端を閉じるべく前記内側壁と前記外側壁との上部端が互いに結合されており、前記ギャップの他方の端が開放され前記フランジに円形スロットを形成している、請求項１又は２に記載のプリフォーム。
【請求項５】
容器をブロー成形することができるプリフォームであって、
熱収縮材料製であり、周方向に延びるフランジを有しており、前記フランジの半径方向内側部分が前記フランジの半径方向外側部分よりも厚い、プリフォーム。
【請求項６】
前記フランジの前記半径方向外側部分には半径方向に延びるギャップが設けられており、もって、前記フランジが不連続な形態となっている、請求項５に記載のプリフォーム。
【請求項７】
容器及びキャップであって、
前記容器が、請求項１〜４のいずれか一項に定義されたようなプリフォームからブロー成形されており、
前記キャップがスカートを有し、前記スカートの自由縁が前記バンドと前記容器との間で把持されている、容器及びキャップ。
【請求項８】
前記スカートが、突出形のビードを有しており、前記ビード上に前記バンドが収縮されており、前記スカートが、該スカートを破断することなく前記トラフから引き抜かれることを防止するようになっている、請求項７に記載の容器及びキャップ。
【請求項９】
プリフォームを製造する方法であって、
ネックを囲むフランジを有するプリフォームを成形するステップと、
加熱され軟化した状態にある間に前記フランジに円筒形のツールを押し付けて、前記フランジの平面から前記フランジの材料を変位させ、前記フランジから突出する環状のバンドを提供するステップと
を備える、方法。
【請求項１０】
前記フランジが半径方向外側部分よりも厚い半径方向内側部分を有し、前記バンドを形成すべく前記ツールによって前記半径方向外側部分が変位される、請求項９に記載の方法。
【請求項１１】
容器及びキャップの組合せであって、
前記容器がフランジによって囲まれるネックを有しており、前記フランジから突出するバンドが設けられており、前記バンドと、前記バンドの半径方向内方にある前記フランジの部分と、前記フランジに隣接する前記ネックの表面の部分とがトラフを画成しており、前記ネックに取り付けられた前記キャップのスカートの自由縁が前記トラフ内に位置している、組合せ。
【請求項１２】
前記スカートがその周りに弱化線を有し、前記弱化線が前記スカートを主要部分とリングとに仕切っており、前記リングが前記スカートの自由端部分を形成しており、前記リングと前記弱化線と前記スカートの主要部分の隣接する部分とが前記トラフ内に位置している、請求項１１に記載の組み合わせ。
【請求項１３】
中空である本体と、前記中空である本体を囲むフランジとを備えるプリフォームを成形する方法であって、
前記フランジにバンドを成形するステップを備え、
前記バンドと、前記フランジと、前記フランジに隣接する前記本体の部分とがトラフを形成し、前記バンドが、前記フランジとの接合部から前記本体に向けて傾斜するように成形され、前記バンドが、加熱されたときに収縮する能力を高めるために成形後に外方向に拡張される、方法。
【請求項１４】
前記バンドが、前記プリフォームを生成する型を開くときに前記型の一部によって拡張される、請求項１３に記載の方法。
【請求項１５】
前記バンドが、前記トラフ内に空気を吹き込むことによって拡張される、請求項１４に記載の方法。
【請求項１６】
容器に蓋をする方法であって、
横方向端壁と、周りに弱化線を備えるスカートとを備えるキャップを、容器本体とネックとを有する容器に取り付け、もって、前記横方向端壁から離れた側の前記キャップの前記スカートの縁部分及び前記弱化線が、前記プリフォームのフランジと、前記フランジから突出するバンドと、前記フランジに隣接する前記ネックの部分とによって境界が付けられた前記容器のトラフに入り込むようにするステップを備える、方法。
【請求項１７】
横方向端壁及びスカートを備えるキャップと、容器本体及び前記容器の口へ延びるネックを備える、熱収縮材料製の容器との組合せにおいて、
前記スカートの周りに延び、前記横方向端壁から離れた側の前記スカートの端で、前記スカートを主要部分とリングとに仕切る弱化線が設けられており、
前記ネックを囲むフランジと、前記フランジから前記容器の口へ向けて延びるバンドとが設けられており、前記フランジ、前記バンド及び前記フランジに隣接する前記ネックの部分がトラフを画成しており、
前記バンド、前記弱化線及び前記弱化線に隣接する前記スカートの前記主要部分の一部が、前記トラフ内に位置しており、前記バンドが加熱されて前記キャップ上に収縮され、前記リング、及び前記バンド自体と前記容器の前記ネックとの間の前記部分を把持している、組み合わせ。
【請求項１８】
容器のネックを形成する方法であり、前記ネックが、直径の異なる、端部と端部が接続した２つのスリーブを有し、大径のスリーブが、小径のスリーブと前記容器のネック以外の部分との間にあるものである、前記方法であって、
前記大径のスリーブを折り、前記大径のスリーブ内にある前記小径のスリーブの一部を囲むトラフを形成すべく、前記小径のスリーブを前記大径のスリーブ内に押圧するステップを備える、方法。
【発明の詳細な説明】
【発明の分野】
【０００１】
本発明は、容器用の不正開封防止型（タンパエビデント）キャップに関する。
【発明の背景】
【０００２】
不正開封の問題は、スナップ式で嵌めるキャップ又はねじ止め式のキャップを備えるボトル及び他の容器で製品を販売する企業には、大きな懸念になっている。しかし、既知のキャップが、不正開封証明（タンパプルーフ）型でも、不正開封防止（タンパエビデント）型でもないことは明らかとなってきた。
【０００３】
最も普通に使用される種類の不正開封防止型のねじ式閉鎖体は一連の突起を有し、これらの突起は、スカートから内向きに突出し、容器のビードにインターロックする。突起は、スカートの一部を形成し且つスカートの他の部分へ弱化線に沿って結合されるバンド上にある。バンド自体は、これに沿って延びる横方向弱化線を有する。キャップを取り外そうと試みると、横方向弱化線に沿ってバンドが壊れるようになっている。しかし、そのような閉鎖体は、損傷を与えずに注意深く取り外すことが可能であり、損傷を与えずに再度ボトルに螺合させることも可能である。したがって、これでは、不正開封されていることがわからない。
【０００４】
本発明は、キャップを取り外すと必然的にキャップ及び／又は容器の一部を破壊することになり、容器が開けられたことを明らかにするのを確実にする閉鎖体（これは、キャップの特徴ではなく、容器の特徴である）を提供しようとするものである。
【発明の簡単な説明】
【０００５】
本発明の第１の態様によれば、容器をブロー成形することができる次のようなプリフォームが提供される。すなわち、このプリフォームは、熱収縮材料製であり、当該プリフォームのネックを囲み且つ突出する周方向に延びるフランジを有している。このフランジから立設されたバンドが設けられ、バンドは、ネックを囲むと共にフランジの一方の面に接続され、バンド、フランジ及びフランジに隣接する当該プリフォームの部分がトラフを画成する。
【０００６】
ネックは、フランジに隣接するビードを有することができ、ビードは、バンドがネック上に収縮されると、バンドの一部がフランジから離れた側のビードの側面上にあるように、位置決めされる。この形態において、バンドは、周方向に間隔をおいた一連のブリッジによってフランジの前記面に接続され、隣合うブリッジ間に開口が設けられる。
【０００７】
好ましいプリフォームの構造においては、前記バンドは中空であり、半径方向内側壁と半径方向外側壁とを有し、内側壁の一方の円形の縁がフランジに結合され、外側壁が内側壁から離隔され、外側壁の一方の円形の縁がフランジに結合され、内側壁と外側壁との間には円筒形のギャップが設けられ、ギャップの上部端を閉じるべく内側壁と外側壁との上部端が互いに結合され、ギャップの他方の端が開放されフランジに円形スロットを形成する。
【０００８】
本発明の第２の態様によれば、次のような容器及びキャップが提供される。すなわち、容器は、前記三つの先行する段落（０００５〜０００７）に定義されたようなプリフォームからブロー成形され、キャップはスカートを有し、スカートの自由縁がバンドと容器との間で把持される。
【０００９】
本発明の第３の態様によれば、容器をブロー成形することができるプリフォームであって、熱収縮材料製であり、周方向に延びているフランジを有し、フランジの半径方向内側部分がフランジの半径方向外側部分よりも厚くなっている、プリフォームが提供される。
【００１０】
フランジの半径方向外側部分には半径方向に延びるギャップが設けられており、もって、フランジが不連続な形態となる。
【００１１】
スカートは、その上にバンドが収縮される突出形のビードを有することができ、これにより、スカートは、破断することなくトラフから引き抜かれることが防止される。
【００１２】
本発明の第４の態様によれば、次のような、プリフォーム製造方法が提供される。この方法は、ネックを囲むフランジを有するプリフォームを成形するステップと、
加熱され軟化した状態にある間にフランジに円筒形のツールを押し付けて、フランジの平面からフランジの材料を変位させ、フランジから突出する環状のバンドを提供するステップとを備えるものである。
【００１３】
前記フランジは、半径方向外側部分よりも厚い半径方向内側部分を有することができ、前記ツールによって変位されてバンドを形成するのは半径方向外側部分である。
【００１４】
本発明の第５の態様によれば、次のような、容器及びキャップの組合せが提供される。この組合せにおいては、容器は、フランジによって囲まれるネックを有し、フランジから突出するバンドが設けられており、このバンドと、バンドの半径方向内方にあるフランジの部分と、フランジに隣接するネックの表面の部分とがトラフを画成し、ネックに取り付けられたキャップのスカートの自由縁がトラフ内に位置する。
【００１５】
スカートは、その周りに弱化線を有することができ、この弱化線はスカートを主要部分とリングとに仕切る。リングは、スカートの自由端部分を形成し、リングと弱化線とスカートの主要部分の隣接する部分とが、トラフ内に位置する。
【００１６】
本発明の第６の態様によれば、中空である本体と、前記中空である本体を囲むフランジとを備えるプリフォームを成形する方法であって、フランジにバンドを成形するステップを備える方法が提供される。この方法においては、バンドと、フランジと、フランジに隣接する本体の部分とがトラフを形成し、バンドは、フランジとの接合部から本体に向けて傾斜するように成形され、バンドが、加熱されたときに収縮する能力を高めるために成形後に外方向に拡張される。
【００１７】
この方法の好ましい形態において、バンドは、プリフォームを生成する型を開くときに前記型の一部によって拡張される。他の形態では、バンドは、トラフ内に空気を吹き込むことによって拡張される。
【００１８】
本発明の第７の態様によれば、容器に蓋をする方法であって、横方向端壁と、周りに弱化線を備えるスカートとを備えるキャップを、容器本体とネックとを有する容器に取り付け、もって、横方向端壁から離れた側のキャップのスカートの縁部分及び弱化線が、プリフォームのフランジと、フランジから突出するバンドと、フランジに隣接するネックの部分とによって境界が付けられた容器のトラフに入り込むようにするステップを備える、方法が提供される。
【００１９】
本発明の第８の態様によれば、次のような組合せが提供される。この組合せは、
横方向端壁及びスカートを備えるキャップと、容器本体及び前記容器の口へ延びるネックを備える熱収縮材料製の容器との組合せであって、
スカートの周りに延び、横方向端壁から離れた側のスカートの端で、スカートを主要部分とリングとに仕切る弱化線が設けられ、
ネックを囲むフランジと、フランジから容器の口へ向けて延びるバンドとが設けられ、フランジ、バンド及びフランジに隣接するネックの部分がトラフを画成し、
バンド、弱化線及び弱化線に隣接するスカートの主要部分の一部が、トラフ内に位置しており、バンドが加熱されてキャップ上に収縮され、リング、及びバンド自体と容器のネックとの間の部分を把持するものである。
【００２０】
本発明の第９の態様によれば、容器のネックを形成する方法であり、ネックが、直径の異なる、端部と端部が接続した２つのスリーブを有し、大径のスリーブが、小径のスリーブと容器のネック以外の部分との間にあるものである、前記方法が提供される。この方法は、大径のスリーブを折り、大径のスリーブ内にある小径のスリーブの一部を囲むトラフを形成すべく、小径のスリーブを大径のスリーブ内に押圧するステップを備える。
【００２１】
本発明をより良好に理解するために、且つ、これがどのように実行に移され得るかを示すために、次に、例として、添付の図面を参照する。
【図面に沿っての詳細な説明】
【００２２】
図１はＰＥＴプリフォーム１０を示し、このプリフォーム１０からボトルがブロー成形され得る。プリフォーム１０は、バンド１４が一体的に成形されたフランジ１２を有している。フランジ１２とバンド１４との間の接続部は、間にギャップ１８を有する一連のブリッジ１６の形態である。
【００２３】
符号２０で示されたキャップは、スカート２４の自由縁に一連のスリット２２を有する。スカートの外側には、突出リブ２６がある。
【００２４】
キャップ２０がプリフォーム１０からブロー成形された容器に螺合されると、スカート２４の縁は、フランジ１２の上方にある容器のネックと、バンド１４とによって境界が付けられた環状のギャップに入り込む。
【００２５】
バンド１４を加熱すると、バンド１４はリブ２６の上方のスカート２４上に収縮し、それによって、スカートを容器にしっかり固定する。キャップ２０の螺合をゆるめることによって、リブ２６は、今や脆弱化しているバンド１４を外方向に押圧し、バンドを横切る線に沿ってバンドを破断し、又は、ブリッジ１６を破断する。
【００２６】
バンド１４は、ネックに向けて内向きの傾斜部分を備えて成形されることが好ましい。バンド１４の内側表面を成形するマンドレルの部分は、テーパが付けられている。これによって、型を開く際、バンド１４は、外方向に拡張することによって確実に伸張される。そのような伸張は、バンド１４がキャップ２０のスカート２４上に収縮されるときに、収縮を促進する。
【００２７】
次に、図２〜図５を参照する。図示のねじ止め式キャップ２８は、横方向端壁３０と、符号３２で示された円筒形スカートとを有する。スカート３２は、主要部分３４と、リング３６の形態の補助部分とを備える。リング３６は、一連のブリッジ３８によってスカート部分３４に結合されている。隣合うブリッジ３８間に開口４０がある。ブリッジ３８及び開口４０は、スカート３２の周りに延びる弱化線を形成する。
【００２８】
リング３６は、その外側表面に一連のリブ４２を有し、リブ４２は、弱化線３８，４０からスカートの自由縁に延びている。図３に明示するように、リング３６は、弱化線から自由縁にかけて外向きにフレア状となっている。
【００２９】
図２はまた、ＰＥＴプリフォーム４４を示しており、このプリフォーム４４からボトルがブロー成形され得る。プリフォーム４４は、バンド４８がフランジと一体的に成形されたフランジ４６を有している。図３に明示するように、バンド４８は円筒形であり、断面では、フランジ４６よりも薄い。
【００３０】
図３、図４及び図５において、キャップ２８は、プリフォーム４４に螺合された状態で示されている。これは純粋に、キャップとプリフォームとの間の関係を図示したものであり、実際にプリフォームがボトルの形態にブロー成形されボトル内が充填された後にキャップが螺合されるだけであることが理解されよう。
【００３１】
プリフォームからブロー成形されボトルにキャップが螺合されると、スカート３２は、弱化線３８，４０の丁度上の高さ位置まで、バンド４８と、フランジ４６の上方にあるボトルのネック部分とによって境界が付けられた環状のギャップに入り込む（特に図３を参照）。
【００３２】
バンド４８を加熱すると、このバンド４８は、ブリッジ３８及び開口４０の上方及び下方の両方で、スカート上に収縮し（図５参照）、それによって、スカートをブロー成形されたボトルにしっかり固定する。リング３６は、バンド４８によって全体が覆われているため、完全にアクセス不能である。キャップ２８の螺合をゆるめることによって、ブリッジ３８及び開口４０によって構成された弱化線に沿って、キャップは破断される。
【００３３】
図６及び図７には、ブリッジ３８及び開口４０によって構成された弱化線も、リブも有していないねじ止め式キャップ５０が示されている。これらの図のプリフォームは、バンド４８が連続した線に沿ってフランジ４６に接続されるのではなく、一連のブリッジ５２によることが、上述のものとは異なる。ブリッジ５２は、間にギャップ５４を有している。したがって、バンド４８とフランジ４６との間の接続部は図２〜図５に示された接続部に対して弱められている。
【００３４】
スカート３２は、キャップが螺合されると、プリフォームのネックとバンド４８との間のギャップに入り込む。バンド４８が加熱されると、スカート３２はリング３６上に収縮し、上述と同様にリング３６をしっかり把持する。
【００３５】
螺合をゆるめるようにキャップを回すと、プリフォームのバンド４８は、フランジ４６に結合される弱化線に沿って破断される。したがって、バンド４８は、キャップ５０と共に、ブロー成形されたボトルから取り外される。
【００３６】
図６及び図７の実施形態において、キャップ５０が破断することのできる弱化ゾーンを有していないことは理解されよう。したがって、キャップを回し初期的な軸方向運動を生じさせるためにキャップに十分な力が加えられると、破断するのはプリフォームである。
【００３７】
図８Ａ、図８Ｂ及び図８Ｃにおいて、適用可能な場合には、上記に使用されたものと同一の参照符号を使用する。
【００３８】
スリーブが図８Ａに示され、符号５６で示されている。スリーブ５６は、フランジ４６．１と切頭円錐形のバンド４８．１とを備える。スリーブ５６は、上から又は下から、プリフォーム上に滑り被される。このプリフォームは、図８Ｂに示され、符号５８で示されている。プリフォーム５８は、図２〜図７のフランジ４６よりも小さいフランジ６０を有する。スリーブ５６がプリフォーム５８上に置かれると、スリーブ５６はプリフォーム５８上に収縮する（図８Ｃ）。したがって、プリフォーム５８及びスリーブ５６の結果として得られた組み合わせは、図２〜図７のプリフォーム４４と同一の構成となる。
【００３９】
図９には、符号６２で示され且つ横方向端壁６４及びスカート６６を有するキャップが示されている。スカート６６は、その周りに弱化線６８を有し、この弱化線６８はスカート６６を主要部分７０とリング７２とに仕切る。リング７２内部には、内向きに突出する三角形フラグ７４があり、これは、プリフォーム４４のビード７６下に嵌る。
【００４０】
バンド４８は、線６８の上方の高さ位置まで上向きに延びており、バンド４８が収縮されなくとも、リング７２へのアクセスは、リング７２がバンド４８とフランジ４６の上方にあるブロー成形されたボトルのネックとの間にぴったり嵌るのを確実にすることによって、防止される。バンド４８を収縮することによって、さらに確実とされる。
【００４１】
フランジ４６及びバンド４８は、必要な場合には、図８Ａの符号５６で示された種類のルーズ・スリーブの一部とすることができる。
【００４２】
図１０〜図１２のプリフォーム７８は、厚い半径方向内側部分８２を有するフランジ８０を備えており、厚い半径方向内側部分８２には薄い半径方向外側部分８４が外方向に延設されている。部分８４はギャップ８６（図１１参照）を有し、そのため、部分８４は連続的というよりはむしろ不連続となっている。部分８２，８４が結合するフランジ８０の上部表面には、段差がある。
【００４３】
製造段階の適当な時点で、フランジの部分８４が、符号８８で示された不連続バンドになるように、部分８４は上方に押される（図１２参照）。これは、ブロー成形が完了した後か、プリフォームの成形後であるがブロー成形が開始する前、ブロー成形段階のある時点で行うこともできる。バンド８８は、内側部分８２の半径方向外縁から上方に突出する。バンド８８のギャップ８６は、閉じずにそのままであり、排水溝として作用し、それを通して、バンド８８とフランジ８０の上方にあるプリフォームの部分との間のトラフ内のあらゆる液体を排出することができる。
【００４４】
図１３及び図１４のプリフォーム９０は、符号９２で示された一般的な形状のフランジが射出成形で設けられている。ブロー成形段階中に、フランジ９２は、これが軟化するような温度に加熱される。この状態にあるときに、多数の円筒形セクションから構成されるツールの一端が、フランジ９２の下面に、上向きに押し付けられる。これは、材料を押し上げる効果を有し、それによって、プリフォームのネックを取り囲むバンド９４を形成する。バンド９４は、２つの間隔をおいた壁９６，９８から構成される中空円筒形の形態である。壁９６，９８間のギャップ１００は、その下端で開放され、上端で閉じている。
【００４５】
キャップ１０２（図１５）がプリフォームのねじ部に螺合されると、キャップのスカート１０４の自由縁は、バンド９４、フランジ９２、及びフランジ９２のすぐ上にあるプリフォームのネックの部分によって境界づけられた環状のトラフ１０６に入る。キャップのスカートの周りの弱化線１０８は、これを主要部分１１０とリング１１２とに仕切る。リング１１２の内側の固定用フラグ１１４は、プリフォームのビード１１６を通り過ぎる。弱化線１０８は、バンド９４の上部縁の高さ位置より下にあり、したがって、アクセスできない。
【００４６】
前述したタイプのキャップを、これを損傷することなく取り外すのに使用される一つの技術としては、スカートを粘着テープの層に巻くことが考えられる。固定用の突起物をビード上に押圧するために十分なトルクがかけられる間、テープは、キャップを一緒に保持する。これが達成されると、キャップを再び嵌めることができ、不正開封の証拠はない。
【００４７】
バンド４８，４８．１，８８，９４は、この技術が使用されるのを防止する。したがって、スカートが弱化線に沿って破断することなく、キャップを取り外すことはできない。
【００４８】
図１６に示された閉鎖体構造物１１８は、液体を含む容器（図示せず）上に嵌合する蓋１２０を備えている。蓋１２０は差し口１２４を含み、この差し口１２４は中空であり、これを通って液体が容器から流出する。差し口１２４は、２つの外側ビード１２６及び１２８を有し、これらは差し口１２４に沿って間隔をおかれている。
【００４９】
差し口１２４内のスパイダー（図示せず）は、差し口の内腔と同軸である閉鎖体要素を支持している。
【００５０】
キャップ１３０は、差し口１２４上に嵌合される。キャップは、中央開口１３４を有する端壁１３２を含む。端壁１３２の開口１３４は、弁閉鎖体要素と協働する弁座によって囲まれている。キャップ１３０が差し口１２４上に完全に押し付けられているときには、閉鎖体要素は弁座に当接する。
【００５１】
キャップ１３０はまた、弱化線１３８によって取り囲まれるスカート１３６を有する。弱化線１３８はスカートを主要部分１４０とリング１４２とに仕切る。
【００５２】
キャップは、熱収縮可能材料製であり、符号１４４で示された線の下側で、製造中に外方向に引き延ばされている。
【００５３】
差し口１２４へ嵌められた後に、キャップ１３０は加熱され、そのため、収縮する。リング１４２は、その内部に固定用フラグを有することができ、ビード１２６下で収縮して不正開封防止特徴を提供する。線１３８と線１４４との間のキャップの部分は、ビード１２６，１２８の間の差し口１２４上へ収縮し、結果として、ビード１２８上を摺動することができない。したがって、キャップは取り外されることはなく、誤って飲み込むこともない。
【００５４】
例えばバンド４８に類似したバンドを、蓋１２０上に成形することができ、したがって、蓋１２０は、上述のフランジ１２，４６，８０，９２と等価のフランジを構成する。バンドと差し口１２４との間の蓋の頂部表面と協同して、バンドと、蓋にすぐ隣接した差し口１２４の部分とは、リング１４２を受け取るためのトラフ（樋）を形成する。図１６には、バンドの基部が、蓋１２０と融合するバンドの基部が示され、符号１２２で示されている（バンドのその他の部分は図示せず）。
【００５５】
図１７に示されたボトルは、従来の形態であり、オイル及び不凍液等の多くの液体製品用に使用される。これはまた、合成洗剤及び他の洗濯製品用にも使用される。
【００５６】
ボトルの主要中空部分１４６は、ネック１４８によって及びハンドル１５０によって、上方に延ばされている。ハンドル１５０は、ハンドホール１５２を残した状態で、湾曲してネック１４８に結合している。
【００５７】
ネック１４８は、ねじ山１５６を有する端スリーブ１５４（図１８も参照）を備える。スリーブ１５４は、外方向に突出するビード１５８を経て、スリーブ１５４よりも大きな直径のさらなるスリーブ１６０に結合されている。スリーブ１６０の下側に、別のスリーブ１６２があり、これにハンドル１５０が接続し、溝１６４がネック１４８へ剛性を与える。溝１６４の下側で、ネック１４８は壁１６６に接続し、中空主要部分１４６の頂部を境界づけている。
【００５８】
図１９のネック１４８．１は、スリーブ１６２．１がスリーブ１６２よりも大きな軸方向範囲であるという点で、図１７及び図１８のものとは異なる。
【００５９】
スリーブ１６０．１、スリーブ１６２．１は、端と端とがつながっており、スリーブ１６２．１は、スリーブ１６０．１よりも直径が大きく、より大きな直径のスリーブ１６２．１は、より小さな直径のスリーブ１６０．１と容器の残りの部分との間にある。
【００６０】
ボトルがブロー成形された後に、スリーブ１５４．１，１６０．１は、スリーブ１６２．１を「折る」ようにスリーブ１６２．１内に変位され、周方向に延びているＵ字型カーブ１７０に沿って結合された外側壁１６６及び内側壁１６８（図２０）を形成する。
【００６１】
内側壁１６８とスリーブ１６０．１との間に、上向きに開口したトラフ１７２がある。
【００６２】
キャップがネック１４８．１にねじ込まれると、スカートの弱化線とスカートの自由端との間にあるリングがトラフ１７２に入り込む。弱化線もまた、トラフに入る。キャップの固定用フラグは、ビード１５８．１によって捉えられる。バンドへ及び弱化線へのアクセスは、このようにして防止され、弱化線に沿って破断することなくキャップを取り外すことは不可能になる。
【図面の簡単な説明】
【００６３】
【図１】プリフォーム及びキャップを示している。
【図２】別のプリフォーム及びキャップを示す斜視図である。
【図３】螺合されたキャップを備える図１のプリフォームを示す軸方向断面図である。
【図４】切り欠いて示す図２及び図３のキャップ及びプリフォームの斜視図である。
【図５】熱処理後の図２〜図４のプリフォーム及びキャップを示す断面図である。
【図６】キャップ及びプリフォームの別の形態を示す図である。
【図７】熱処理前の図６のキャップ及びプリフォームを示す断面図である。
【図８Ａ】スリーブを示している。
【図８Ｂ】プリフォームを示している。
【図８Ｃ】プリフォームに嵌合したスリーブを示している。
【図９】別のキャップ及びプリフォームを示している。
【図１０】半径方向外方に突出する延設フランジを備えるプレフォームの側面図である。
【図１１】図１０のプリフォームの平面図である。
【図１２】バンドを構成するために円筒形形態に変形したフランジを備える図１０及び図１１のプリフォームの側面図である。
【図１３】構造を明らかにするために四分円を切り欠いて示すさらなるプリフォームの斜視図である。
【図１４】図１３のプリフォームの詳細を示している。
【図１５】嵌合してキャップを備える、四分円を切り欠いて示す図１３及び図１４のプリフォームの斜視図である。
【図１６】流れ制御弁を含む閉鎖体構造物を示している。
【図１７】現在商業的に使用されているボトルの側面図である。
【図１８】図１７のボトルのネックを通る縦断面図である。
【図１９】ブロー成形後であるが製造段階の最終段階前の修正されたボトルネックを通る縦断面図である。
【図２０】製造段階の最終段階を受けた後の図１９のボトルネックを示す縦断面図である。
【図１】
2007533488.tif 000003
【図２】
2007533488.tif 000004
【図３】
2007533488.tif 000005
【図４】
2007533488.tif 000006
【図５】
2007533488.tif 000007
【図６】
2007533488.tif 000008
【図７】
2007533488.tif 000009
【図８Ａ】
2007533488.tif 000010
【図８Ｂ】
2007533488.tif 000011
【図８Ｃ】
2007533488.tif 000012
【図９】
2007533488.tif 000013
【図１０】
2007533488.tif 000014
【図１１】
2007533488.tif 000015
【図１２】
2007533488.tif 000016
【図１３】
2007533488.tif 000017
【図１４】
2007533488.tif 000018
【図１５】
2007533488.tif 000019
【図１６】
2007533488.tif 000020
【手続補正書】
【提出日】平成18年11月27日(2006.11.27)
【手続補正１】
【補正対象書類名】図面
【補正対象項目名】図１７
【補正方法】追加
【補正の内容】
【図１７】
2007533488.tif 000021
【手続補正２】
【補正対象書類名】図面
【補正対象項目名】図１８
【補正方法】追加
【補正の内容】
【図１８】
2007533488.tif 000022
【手続補正３】
【補正対象書類名】図面
【補正対象項目名】図１９
【補正方法】追加
【補正の内容】
【図１９】
2007533488.tif 000023
【手続補正４】
【補正対象書類名】図面
【補正対象項目名】図２０
【補正方法】追加
【補正の内容】
【図２０】
2007533488.tif 000024
【国際調査報告】
2007533488.tif 000025
2007533488.tif 000026
2007533488.tif 000027